(57)【要約】      （修正有）【課題】装飾的形状に形成した遊戯体を水中から光りを点滅させながら浮上させて遊ぶことができる安全で楽しい水遊び用の遊戯体を提供する。【解決手段】浮遊性を有し、透明または半透明に形成した合成樹脂材からなる発光体１２内に、点滅回路と電源電池の接点部を分離した発光モジュール２０と光拡散フィルム２８を、該接点部を外部に露出させた状態で一緒に収容する。また、水溶性を有する原料により固形化成型される入浴剤１１内に発光体を位置させ、入浴剤１１を水中に投入すると、入浴剤１１が水中で溶解し、前記接点部が通電し、発光体１２が点滅発光しながら水中より浮上する。【選択図】図２
0003171197.tif 000002
【実用新案登録請求の範囲】
【請求項１】
浮遊性を有し、透明または半透明に形成した合成樹脂材からなる発光体内に、任意色に発光するＬＥＤランプと該ＬＥＤランプを点滅させる点滅回路及び電源電池からなり、該点滅回路と該電源電池の接点部を分離した発光モジュールと光拡散フィルムを、該接点部を外部に露出させた状態で一緒に収容し、
水溶性を有する原料を粉末状または顆粒状とした後、加圧して固形化成型される入浴剤内に前記発光体を位置させ、該入浴剤を水中に投入すると、該入浴剤が水中で溶解し、前記接点部が通電することにより、前記発光体が点滅発光しながら水中より浮上することを特徴とする遊戯体。
【請求項２】
前記発光モジュールの接点部を絶縁フィルムで覆うことで絶縁されていることを特徴とする請求項１に記載の遊戯体。
【請求項３】
前記発光モジュールの接点部は、前記入浴剤が予め蓋体と本体に分離して形成され、該本体の表面に設けた凹部上に位置することで絶縁されていることを特徴とする請求項１に記載の遊戯体。
【請求項４】
前記入浴剤の原料は、ポリエチレングリコール、エチレングリコール、有機酸または炭酸塩からなる群のうちいずれか一の成分を含む水溶性の粉末または顆粒であることを特徴とする請求項１乃至請求項３のいずれか１に記載の遊戯体。
【請求項５】
前記発光体は、その外形が花、魚、動物、各種キャラクターなどの装飾的形状で形成された造形部を備えていることを特徴とする請求項１乃至請求項４のいずれか１に記載の遊戯体。
【請求項６】
前記ＬＥＤランプは、所定の順番で点滅する複数個のＬＥＤランプからなることを特徴とする請求項１乃至請求項５のいずれか１に記載の遊戯体。
【請求項７】
前記ＬＥＤランプが点滅を開始すると音声モジュールの音が鳴り始めることを特徴とする請求項１乃至請求項６のいずれか１に記載の遊戯体。
【考案の詳細な説明】
【技術分野】
【０００１】
本考案は、水溶性を有する入浴剤内に光が点滅する各種形状をした玩具を収容した遊戯体に関する。
【背景技術】
【０００２】
従来、おまけ付き玩具には多種多様のものが有るが、キャラクター人形などを収容したカプセル入りのおもちゃが存在する。これらのおもちゃのうちで安価なものは、いわゆる「ガラポン」といわれる店頭の販売機で売られているものが知られている。
【０００３】
一方、前記キャラクター人形をゼラチンや香料と薬効材を混ぜて弾力性を有した球体内に収容し、入浴時に浴槽にその球体を入れると、球体が溶けて内部に収容した玩具が浮上する入浴剤も知られている（例えば、特許文献１参照）。
【０００４】
この入浴剤は、入浴を嫌がる子供にこの入浴剤を持たせて入浴させ、浴槽内からどんなおもちゃが浮遊するのかを楽しませることにより入浴の楽しさを教えるものである。しかし、浮遊するおもちゃは前記ガラボンとほぼ同様のものであって、意外感や驚きという点ではやや欠けていた。
【先行技術文献】
【特許文献】
【０００５】
【特許文献１】特開平１０−３０６０２１号
【考案の概要】
【考案が解決しようとする課題】
【０００６】
本考案は、入浴剤として使用する場合には、どのような形状の遊戯体が浮遊するのかの意外感と、かつ、この遊戯体が光りを点滅させて浮上することによる驚きがあるという点でその楽しさを倍増できる遊戯体を提供することを目的とする。
【０００７】
また、本考案は、入浴時だけでなく、例えば、プールなどにおいても使用することができ、子供の体に安全な成分と容器により水遊びの楽しさを倍増させることができる遊戯体を提供することを目的とする。
【課題を解決するための手段】
【０００８】
上記課題を解決するために請求項１に記載された考案は、浮遊性を有し、透明または半透明に形成した合成樹脂材からなる発光体内に、任意色に発光するＬＥＤランプと該ＬＥＤランプを点滅させる点滅回路及び電源電池からなり、該点滅回路と該電源電池の接点部を分離した発光モジュールと光拡散フィルムを、該接点部を外部に露出させた状態で一緒に収容し、水溶性を有する原料を粉末状または顆粒状とした後、加圧して固形化成型される入浴剤内に前記発光体を位置させ、該入浴剤を水中に投入すると、該入浴剤が水中で溶解し、前記接点部が通電することにより、前記発光体が点滅発光しながら水中より浮上する遊戯体であることを特徴とする。また、請求項２に記載された考案は、前記発光モジュールの接点部を絶縁フィルムで覆うことで絶縁されている請求項１に記載の遊戯体であることを特徴とする。
【０００９】
したがって、水中で入浴剤が溶解すると、絶縁フィルムが剥がれて発光モジュールの接点部が通電し、装飾的形状の発光体が水中より浮上する意外性と、かつ、この発光体が光りを点滅しつつ浮上する驚きにより、遊戯体としての楽しさを倍増することができる。
【００１０】
また、請求項３に記載された考案は、前記発光モジュールの接点部は、前記入浴剤が予め蓋体と本体に分離して形成され、該本体の表面に設けた凹部上に位置することで絶縁されている請求項１に記載の遊戯体であることを特徴とする。さらに、請求項４に記載された考案は、前記入浴剤の原料は、ポリエチレングリコール、エチレングリコール、有機酸または炭酸塩からなる群のうちいずれか一の成分を含む水溶性の粉末または顆粒である請求項１乃至請求項３のいずれか１に記載の遊戯体であることを特徴とする。くわえて、請求項５に記載された考案は、前記発光体は、その外形が花、魚、動物、各種キャラクターなど各種装飾的形状で形成された造形部を備えている請求項１乃至請求項４のいずれか１に記載の遊戯体であることを特徴とする。
【００１１】
請求項６に記載された考案は、前記ＬＥＤランプは、所定の順番で点滅する複数個のＬＥＤランプからなる。請求項７に記載された考案は、前記ＬＥＤランプが点滅を開始すると音声モジュールの音が鳴り始めることを特徴とする。
【００１２】
したがって、簡単な構造ではあるが、入浴剤が水中で溶解する前に接点部が通電することを防止できる。また、発光体から絶縁フィルムが剥がれてゴミを出すようなこともなく、かつ絶縁フィルムを接着する工程を省略して作業能率の向上と費用の軽減を図ることができる。そして、安全に使用できるばかりか、各種装飾的形状により遊戯体としての意外性を発揮することができる。
【考案の効果】
【００１３】
本考案に係る遊戯体によれば、水中で入浴剤が溶けると共に絶縁フィルムが剥がれて発光モジュールの接点部が通電し、装飾的形状の発光体が水中より浮上する意外性と、かつ、この発光体が光りを点滅させて浮上する驚きにより、遊戯体としての楽しさを倍増することができる。
【００１４】
また、本考案に係る遊戯体によれば、簡単な構造であるが、入浴剤が水中で溶解する前に接点部が通電することを防止できる。また、発光体から絶縁フィルムが剥がれてゴミを出すようなこともなく、かつ絶縁フィルムを接着する工程を省略して作業能率の向上と費用の軽減を図ることができる。
【図面の簡単な説明】
【００１５】
【図１】発光体を入浴剤内に位置させた状態を示す第１遊戯体の斜視図である。
【図２】第１遊戯体の中央横断面図である。
【図３】発光体の分解斜視図である。
【図４】発光モジュールの接点部に絶縁フィルムを貼った状態を示す発光体の底面図である。
【図５】内部に発光体を収容した状態を示す第２遊戯体の分解図である。
【図６】第２遊戯体の中央横断面図である。
【図７】魚の形状をした発光体の側面図である。
【図８】発光体の接点部を指で挟んで通電させた状態を示す説明図である。
【考案を実施するための形態】
【００１６】
以下、本考案の第１の実施の形態を図面により説明すると、図１は発光体を入浴剤内に位置させた状態を示す第１遊戯体の斜視図、図２は第１遊戯体の中央横断面図、図３は発光体の分解斜視図、図４は発光モジュールの接点部に絶縁フィルムを貼った状態を示す発光体の底面図である。第１遊戯体１０は、水溶性を有する入浴剤１１の内部に、光が点滅する発光モジュール２０を収容した発光体１２を位置させて形成する。
【００１７】
入浴剤１１は、発光体１２を水溶性の粉末または顆粒により内包し、公知の加圧成形機を用いて加圧固形成形化するもので、その形状に特に限定はないが、好ましくは、全体を卵形あるいは球形に形成するものである。
【００１８】
入浴剤１１の素材となる粉末または顆粒は、公知の固形化成分と該固形化成分の溶解を促進する溶解成分、さらには該固形化材料の溶解と同時に発泡する発泡成分などの混合体からなり、例えば、固形化成分としては、ポリエチレングリコール、ポリプロピレングリコール、ソルビトール、また、溶解成分としては、エチレングリコール、プロピレングリコール、ジエチレングリコール、さらには、発泡成分としては、有機酸や炭酸塩を挙げることができる。
【００１９】
これらの成分は水中で速やかに崩壊して溶解する作用が有り、溶解時に発生する炭酸ガスが煙幕の役割をして、後記するように入浴剤１１が溶解し、発光体１２が泡の中から突然浮上するという意外性の面白さを倍増させることができる。
【００２０】
発光体１２は、浮遊性を有し、透明または半透明に形成した合成樹脂材から一体的に形成されたもので、その外形が、例えば、図３に示すようなバラの花の形状に装飾された造形部１３を有していることを特徴とし、底部から略中央部までを開口して内部に収容室１５を設け、収容室１５内には後記する発光モジュール２０と光拡散フィルム２８を収容し、底板１６で密封してある。
【００２１】
発光体１２を形成する合成樹脂材としては、例えば、透明または半透明なアクリル樹脂材を使用することができるが、そのアクリル樹脂材を赤色や黄色または青色に着色することで、さらに趣味感にあふれる発光体１２とすることができる。発光体１２の大きさは、好ましくは高さ約３０ｍｍ、幅は約５０ｍｍ程度である。
【００２２】
この発光体１２に設けた造形部１３は、発光体１２を収容することができれば決してバラの花の形状にこだわるものではなく、例えば、図７に示すような熱帯魚、あるいは動物や人気漫画のキャラクターなど様々の形状を採用することができる。
【００２３】
発光モジュール２０は、基板２１と、基板２１上に配置された白色、赤色、青色、緑色またはオレンジ色など任意色にそれぞれ発光する複数のＬＥＤランプ２２と、音声モジュール３１と錘２４を有する。発光モジュール２０は、更に、基板２１の裏面に配置された、電源電池２３と、複数のＬＥＤランプ２２を順番に点滅させる点滅回路２５と、音声モジュール３１の音声を発生させる音声モジュール制御回路３２と、点滅回路２５及び音声モジュール制御回路３２と電源電池２３とを接続するプラスとマイナスの端子部２６と、端子部２６の先端に分離して設けた接点部２７とを有する。
【００２４】
プラスとマイナスの端子部２６は、それぞれ一端を収容室１５を密封する底板１６の内側に取付け、それぞれ他端を接点部２７を底板１６の外部にそれぞれ露出させて、接点部２７を構成する。接点部２７は、水または人体を導電体として使用し、水中や、あるいは図８に示すごとく、プラスとマイナスの接点部２７を指で同時に押さえることによっても通電し、ＬＥＤランプの点滅発光と音声モジュールの音声の発生が可能となるよう形成してある。
【００２５】
そして、発光体１２の収容室１５内には、発光モジュール２０の光を乱反射することで、その点滅を視覚的により目立たせることができる光拡散フィルム２８を、発光モジュール２０と一緒に収容する。また、発光体１２の収容室１５は底板１６により密封するが、この場合、収容室１５内に、若干の空気も封入するので発光体１２の浮力を助けることもできる。
【００２６】
さらに、発光体１２の底面に露出するプラスとマイナスの接点部２７を絶縁フィルム２９で覆うことで、発光体１２が入浴剤１１内に位置している限り、接点部２７の通電が防止される。
【００２７】
ただし、入浴剤１１を水中に入れると、絶縁フィルム２９は水によって発光モジュール２０の接点部２７から剥離し、接点部２２は水によって通電し、ＬＥＤランプが点滅回路によって点滅を開始し、音声モジュールが音声モジュール制御回路によって音声の発生を開始する。
【００２８】
以下本考案の第１実施の形態である第１遊戯体１０の作用について説明すると、この第１遊戯体１０を使用する場合は、浴槽などの屋内、あるいはプールや海などの屋外において、通常、保護のため合成樹脂フィルムなどで包装された遊戯体を、包装体より取り出して水中に浸けると、第１遊戯体１０自体には浮遊性がないので水中に沈んで行く。
【００２９】
なお、第１遊戯体１０の入浴剤１１が溶解しても、原材料は前記したポリエチレングリコールなどであるから、水の成分に、例えば、ホルムアルデヒドやタートラジンなどの有害物質が含まれることはなく、安全に使用でき皮膚のかぶれや湿疹ができるおそれはない。
【００３０】
水に浸かった第１遊戯体１０は、水溶性の成分からなる入浴剤１１の溶解が自然に開始する。その場合には、前記のごとく、入浴剤１１の成分に発泡性を有する成分を混在すると、入浴剤１１は発泡しながら溶解する。したがって、第１遊戯体１０の水中での溶解状態が視認しにくく、入浴剤１１から離脱する発光体１２の形状も外部から判別できない。そして、発光体１２は入浴剤１１が半ば崩れて入浴剤１１から離脱すると、その浮力で突然浮上を開始する。
【００３１】
発光体１２自身が水に触れると、絶縁フィルム２９は接点部２７から剥がれ、接点部２７が水と接触して互いに通電する。接点部２７が通電すると内蔵してある電源電池２３によって複数のＬＥＤランプ２２が点滅回路２５の作用によって順番に点滅を開始し、音声モジュールが音声モジュール制御回路の作用によって音声を発生する。したがって、泡の中から発光体１２が光を点滅しながら突然浮上する驚きと何が出てくるのかわからないという意外性を楽しむことができる。
【００３２】
入浴剤１１には、固形化するためだけの成分ではなく、入溶剤としての成分である酵素や香料、色素または各種の薬効成分を入れることができるのは勿論である。
【００３３】
次に、本考案の第２の実施の形態である第２遊戯体５０を図５、６に基づいて説明する。図５は、内部に発光体を収容した状態を示す第２遊戯体の分解図、図６は、第２遊戯体の中央横断面図である。第２遊戯体５０は、水溶性を有する入浴剤５１と、外周面を任意形状に形成した発光体５５と、発光体５５内に密封した発光モジュール５８とにより構成される。
【００３４】
入浴剤５１は、中央から真二つに切断した形状の蓋体５４と本体５２とかなり、本体５２の表面中央には内面を湾曲させた凹部５３を設けてある。この入浴剤５１の原材料は、前記第１遊戯体１０の入浴剤１１と同様であるため、ここでの説明は省略する。
【００３５】
第２遊戯体５０を形成する際、予め凹部５３を設けた本体５２を形成し、発光体５５の底面を本体５２の凹部５３に位置させる。底面に露出している接点部５７と本体５２との間に隙間を作ることにより、入浴剤５１を形成する際の圧力で、分離した接点部５７が通電するのを防止できる。本体５２に凹部５３を設けることで、接点部５７に絶縁フィルムを接着する工程を省略することができる。
【００３６】
第２遊戯体５０において使用する発光体５６および発光モジュール５８は、前記第１遊戯体１０の発光体１２および発光モジュール２０と同一であるためここでの説明を省略する。
【００３７】
次いで、蓋体５４を前記第１遊戯体１０と同様の方法により、本体５２に合わせた形状で、加圧成形して固形化することにより形成する。なお、およその形状で予め蓋体５４を形成しておき、本体５２に発光体５５を位置させかつ蓋体５４で塞いだ後、再度全体を固形化してもよい。この第２遊戯体の使用方法は前記第１遊戯体１０と同じであるためここでの説明を省略する。
【００３８】
以上の如く、本考案をいくつかの実施形態によって説明したが、それらを以って本考案を前記実施形態のみに限定するものではなく、その精神を逸脱しない限り種々の改変を加えて、多種多様の変更ができることはいうまでもない。例えば、発光体の装飾的形状は前記したものに限定されるわけではないことはもちろんである。また、ＬＥＤランプが点滅を開始すると音声モジュールの音が鳴り始めると説明したが、ＬＥＤランプのみを設置し音声モジュールの設置を省略してもよい。
【符号の説明】
【００３９】
１０  遊戯体
１１  入浴剤
１２  発光体
１３  造形部
１５  収容室
１６  底板
２０  発光モジュール
２１  基板
２２  ＬＥＤランプ
２３  電源電池
２４  錘
２５  点滅回路
２６  端子部
２７  接点部
２８  光拡散フィルム
２９  絶縁フィルム
３１  音声モジュール
３２  音声モジュール制御回路
５０  遊戯体
５１  入浴剤
５２  本体
５３  凹部
５４  蓋体
５５  発光体
５７  接点部
５８  発光モジュール
【図１】
0003171197.tif 000003
【図２】
0003171197.tif 000004
【図３】
0003171197.tif 000005
【図４】
0003171197.tif 000006
【図５】
0003171197.tif 000007
【図６】
0003171197.tif 000008
【図７】
0003171197.tif 000009
【図８】
0003171197.tif 000010